(57)【特許請求の範囲】
【請求項１】
建物の外通り及び中通りに形成される基礎と、前記外通りの基礎を包囲する基礎断熱体と、を含んで基礎構造が構成され、前記基礎構造上に建てられる上部躯体構造の下側、かつ前記外通りの基礎の内側に床下空間が形成される基礎構造の施工方法であって、
前記外通りの基礎として、当該外通りの基礎の内側と外側とを繋ぐ開口部が少なくとも一箇所設けられた基礎を形成する基礎形成工程と、
前記外通りの基礎の外側面に前記基礎断熱体を設置する断熱工程と、を備え、
前記断熱工程は、前記開口部と対向する位置に前記基礎断熱体を不存在とすることで形成される窓部を設ける窓形成工程を含み、
前記窓形成工程の後に、前記窓部を覆う状態で換気装置を取り付けると共に、前記換気装置を作動させて前記床下空間側から外気側に向けて排気を行う排気工程を更に備え、
前記外通りの基礎は、鉄筋コンクリートにより形成されるベース部と、該ベース部上に設置される鋼材基礎とを備え、
前記鋼材基礎は、少なくとも長手方向に亘って複数の孔部を有する梁部材を備え、
前記基礎断熱体は、前記ベース部の側面を覆うベース断熱部と、該ベース断熱部に連結されると共に前記鋼材基礎の外側面を覆う鋼材断熱部と、を備え、
前記基礎形成工程では、前記ベース部の形成、及び前記鋼材基礎の前記ベース部上への設置を行い、前記梁部材の孔部を前記開口部とする前記外通りの基礎を形成し、
前記断熱工程では、前記ベース断熱部を設置し、
前記窓形成工程では、前記鋼材断熱部を前記鋼材基礎の外側面に沿って前記ベース断熱部に当接させつつ設置すると共に、前記梁部材の一の孔部と対向する位置の前記鋼材断熱部を不存在とすることで前記窓部を形成する、
ことを特徴とする基礎構造の施工方法。
【請求項２】
前記上部躯体構造の建て込みを完了させた後、前記換気装置を外すと共に前記窓部を塞ぐ断熱板を着脱自在として前記窓部に設置する閉鎖工程を更に備える、
ことを特徴とする請求項１に記載の基礎構造の施工方法。
【請求項３】
建物の外通り及び中通りに形成される基礎と、前記外通りの基礎を包囲する基礎断熱体と、を含んで基礎構造が構成され、前記基礎構造上に建てられる上部躯体構造の下側、かつ前記外通りの基礎の内側に形成される床下空間の換気を行う基礎換気構造であって、
前記外通りの基礎には、当該外通りの基礎の内側と外側とを繋ぐ開口部が少なくとも一箇所設けられ、
前記基礎断熱体には、前記開口部と対向する位置に窓部が設けられ、
前記窓部には、当該窓部を覆うと共に、前記床下空間側から外気側に向けて排気を行う換気装置が設けられ、
前記外通りの基礎は、鉄筋コンクリートにより形成されるベース部と、該ベース部上に設置される鋼材基礎と、を備え、
前記基礎断熱体は、前記ベース部の側面を覆うベース断熱部と、該ベース断熱部に連結されると共に前記鋼材基礎の外側面を覆う鋼材断熱部と、を備え、
前記鋼材基礎は、長手方向に亘って複数の孔部を有する梁部材を備え、
前記孔部が、前記開口部を構成し、
前記鋼材断熱部には、前記梁部材の一の孔部と対向する位置に前記窓部が設けられ、
前記窓部には、少なくとも前記開口部を覆って前記換気装置が設けられている、
ことを特徴とする基礎換気構造。
【請求項４】
前記ベース部の上面は平坦状に形成され、
前記鋼材基礎は、前記ベース部の上面に立設される支柱部と、該支柱部間に架設される前記梁部材と、を備え、
前記梁部材は、前記ベース部との間に間隔を有した状態で架設されている、
ことを特徴とする請求項３に記載の基礎換気構造。
【請求項５】
前記換気装置は、前記建物の外方から着脱可能に設置され、
前記窓部を閉塞可能な断熱板と、前記換気装置とが互いに取替え設置可能とされている、
ことを特徴とする請求項３又は４に記載の基礎換気構造。
【発明の詳細な説明】
【技術分野】
【０００１】
本発明は、住宅等の建物の上部構造を支持する基礎構造の施工方法、及び基礎換気構造に関する。
【背景技術】
【０００２】
住宅建物等に使用される建材のなかで、例えば、工場成型されるコンクリートパネルやサイディングパネル等は吸水性を有する。これらの建材は、施工現場においてモルタル等の水分を含有する材料と接触すると、その水分を吸収して水分を含んだ状態となる。また、これらの建材は、建物の建設方法によっては、建材の現場搬入後、降雨等にさらされることによって吸水してしまう。特に、陸屋根などのフラットな屋根面やベランダのフラットな床面など排水勾配の小さい建物の部位では、屋根床面の水はけが悪く、防水工事の施工完了前の降雨により、屋根床面として用いたコンクリートパネル等の建材が吸水することがある。
【０００３】
更に、技術革新により住宅等の建物の建設工事の期間が短縮される傾向にあり、吸水した建材が自然乾燥によって水分を放出することができる期間も短くなってきている。また、省エネルギー化や居住性向上の観点から特に気密性が高く設計された建物の建設も増えており、工事中の室内の自然換気量が十分ではなく、建材からの水分の放出が妨げられる傾向がある。
【０００４】
上記のような理由から建材が工事中に吸水し、その水分の放出が十分になされなかった場合、建物の完成後、建材が乾くまでの間に建物の内部に結露が生じたり、建物の居住者に高湿感をもたらしたりする原因となり兼ねない。また建材中に余剰水分が存在していると、建材の耐久性に影響を与える可能性も考えられる。かかる問題を解決すべく、例えば特許文献１には、上部躯体構造を基礎構造の上に構築する躯体工事が完了した後に、有圧型換気装置を一階床下点検口に設置し、この換気装置を作動させることで、上部躯体構造の内部空間に導入される外気を一階床下点検口から１階床下空間に導き、更に一階床下空間から基礎構造の換気口を介して外部に排気することで、建材の余剰水分を除去することが記載されている。
【０００５】
ところで、近年、建物の更なる高気密化及び高断熱化を図るべく、建物の基礎に断熱材を取り付ける構成が知られている。例えば特許文献２や特許文献３には、基礎の側方に断熱板を取り付ける構成が開示されている。
【先行技術文献】
【特許文献】
【０００６】
【特許文献１】特開２００８−２５５７２７号公報
【特許文献２】特開２００４−１０７９７４号公報
【特許文献３】特開２００２−３２２６５３号公報
【発明の概要】
【発明が解決しようとする課題】
【０００７】
しかしながら、上記特許文献２や特許文献３に記載された基礎断熱構造においては、断熱材により基礎を包囲する構成であるため、基礎構造に包囲される床下空間と外気との間が断熱材により遮断されることとなる。このため、上記特許文献１に記載されているように上部躯体構造の建材の水分除去を目的として換気装置を設置したとしても、断熱材が設けられていることによって床下空間の外方に排出空気を逃がすことができないという問題がある。この問題を解決すべく、上部躯体構造の外壁等に開口を設けてそこから換気を行うことが考えられるが、上部躯体構造に換気装置を設けることは、上部躯体構造の施工の邪魔となるのみならず、換気装置の設置位置周囲の施工を進めることができず、建物の施工性が著しく悪化するという新たな問題を生じる。
【０００８】
そこで本発明は、このような問題を解決するためになされたものであり、基礎断熱を採用する建物であっても、施工時に建材からの水分の除去を基礎側から可能とする基礎構造の施工方法、及び基礎換気構造を提供することを目的とする。
【課題を解決するための手段】
【０００９】
上記課題を解決すべく、本発明に係る基礎構造の施工方法は、建物の外通り及び中通りに形成される基礎と、外通りの基礎を包囲する基礎断熱体と、を含んで基礎構造が構成され、基礎構造上に建てられる上部躯体構造の下側、かつ外通りの基礎の内側に床下空間が形成される基礎構造の施工方法であって、外通りの基礎として、当該外通りの基礎の内側と外側とを繋ぐ開口部が少なくとも一箇所設けられた基礎を形成する基礎形成工程と、外通りの基礎の外側面に基礎断熱体を設置する断熱工程と、を備え、断熱工程は、開口部と対向する位置に基礎断熱体を不存在とすることで形成される窓部を設ける窓形成工程を含み、窓形成工程の後に、窓部を覆う状態で換気装置を取り付けると共に、換気装置を作動させて床下空間側から外気側に向けて排気を行う排気工程を更に備え、外通りの基礎は、鉄筋コンクリートにより形成されるベース部と、該ベース部上に設置される鋼材基礎とを備え、鋼材基礎は、少なくとも長手方向に亘って複数の孔部を有する梁部材を備え、基礎断熱体は、ベース部の側面を覆うベース断熱部と、該ベース断熱部に連結されると共に鋼材基礎の外側面を覆う鋼材断熱部と、を備え、基礎形成工程では、ベース部の形成、及び鋼材基礎のベース部上への設置を行い、梁部材の孔部を開口部とする外通りの基礎を形成し、断熱工程では、ベース断熱部を設置し、窓形成工程では、鋼材断熱部を鋼材基礎の外側面に沿ってベース断熱部に当接させつつ設置すると共に、梁部材の一の孔部と対向する位置の鋼材断熱部を不存在とすることで窓部を形成する、ことを特徴とする。
【００１０】
この発明によれば、窓形成工程において基礎断熱体に窓部を設け、排気工程において窓部を覆って換気装置を取り付けるものとしたので、換気装置の設置と基礎構造の形成とを、同時または前後して行うことができることとなる。なお、建物の施工は、通常、基礎の施工、上部躯体構造の施工の順で行われる。従来の基礎構造の開口部に換気装置を取り付ける工程を採用すると、基礎に断熱体を取り付けることができないため、基礎の施工、換気装置の取り付け、上部躯体構造の施工、換気装置の取り外し、基礎の全面にわたる断熱体の設置、の施工順を辿る必要がある。この場合には、基礎の施工の後、上部躯体構造の施工を行い、その後再び基礎周りの施工を行うこととなり、著しく施工性が悪い。これに対し、本願発明によれば、基礎と基礎断熱体の施工、換気装置の設置及び換気装置の作動、上部躯体構造の設置、の施工順となり、従来から行われている通常どおりの施工順で施工を進めることができる。
【００１１】
また、上部躯体構造を建て込む前に基礎に換気装置を設置することができ、換気装置の設置が簡便となるのみならず、上部躯体構造の建て込み当初から当該上部躯体構造の建材の水分除去を行うことができるものとなる。更には、基礎や床下空間の水分除去も行うことができる。このように、基礎断熱を採用する建物であっても、施工時に建材からの水分の除去を基礎側から行うことができる。
【００１３】
鋼材断熱部を、ベース部の施工が完了し、鋼材基礎を組み上げた後の適宜のタイミングで取り付けることができるので、鋼材断熱部が鋼材基礎の施工の妨げになることもない。また、鋼材基礎の孔部を基礎構造の開口部として用いることができ、窓形成工程において、開口部に対向する位置の鋼材断熱部を不存在として窓部を形成するだけで換気経路を形成することが可能となり、施工が簡便となる。
【００１４】
また、上部躯体構造の建て込みを完了させた後、換気装置を外すと共に窓部を塞ぐ断熱板を着脱自在として窓部に設置する閉鎖工程を更に備える、ことが好ましい。
【００１５】
この場合には、換気装置を取り外して断熱板により窓部を塞ぐという簡便な工程によって、上部躯体構造の形成後に床下空間を基礎断熱体及び断熱板により包囲することができる。また、断熱板で窓部が閉鎖されることで、開口部及び窓部により形成される、基礎内外を繋ぐ換気経路が塞がれ、床下空間は基礎断熱体及び断熱板に包囲されることとなる。これによって、床下空間ひいては建物全体の断熱気密性能を向上させることができる。
【００１６】
また、本発明に係る基礎換気構造は、建物の外通り及び中通りに形成される基礎と、外通りの基礎を包囲する基礎断熱体と、を含んで基礎構造が構成され、基礎構造上に建てられる上部躯体構造の下側、かつ外通りの基礎の内側に形成される床下空間の換気を行う基礎換気構造であって、外通りの基礎には、当該外通りの基礎の内側と外側とを繋ぐ開口部が少なくとも一箇所設けられ、基礎断熱体には、開口部と対向する位置に窓部が設けられ、窓部には、当該窓部を覆うと共に、床下空間側から外気側に向けて排気を行う換気装置が設けられ、外通りの基礎は、鉄筋コンクリートにより形成されるベース部と、該ベース部上に設置される鋼材基礎と、を備え、基礎断熱体は、ベース部の側面を覆うベース断熱部と、該ベース断熱部に連結されると共に鋼材基礎の外側面を覆う鋼材断熱部と、を備え、鋼材基礎は、長手方向に亘って複数の孔部を有する梁部材を備え、孔部が、開口部を構成し、鋼材断熱部には、梁部材の一の孔部と対向する位置に窓部が設けられ、窓部には、少なくとも開口部を覆って換気装置が設けられている、ことを特徴とする。
【００１７】
この発明によれば、上部躯体構造を建て込む前に基礎に換気装置を設置することができ、換気装置の設置が簡便となるのみならず、上部躯体構造の建て込み当初から上部躯体構造の建材の水分除去を行うことができるものとなる。更には、基礎や床下空間の水分除去も行うことができる。このように、基礎断熱を採用する建物であっても、施工時に建材からの水分の除去を基礎側から行うことができる。
【００１９】
ベース部のコンクリート打設前にベース断熱部を設置することができ、ベース部とベース断熱部との間の隙間を無くしてこれらを密着させることができる。また、鋼材基礎の孔部を基礎構造の開口部として用いることで、開口部に対向する位置の鋼材断熱部を不存在として窓部を形成するだけで換気経路を形成することが可能となり、施工が簡便となる。
【００２０】
また、ベース部の上面は平坦状に形成され、鋼材基礎は、ベース部の上面に立設される支柱部と、該支柱部間に架設される梁部材と、を備え、梁部材は、ベース部との間に間隔を有した状態で架設されている、ことが好ましい。
【００２１】
この場合には、梁部材の下方がベース部から浮いており、さらには、梁部材自体に多数の孔部が形成されているため、床下空間が全体に亘って一つの空間となり、当該空間全体に隅々まで空気を対流させることができる。このため、換気装置として小型のものを用いた場合であっても、床下空間の隅々まで換気装置の効力が及ぶものとなる。
【００２２】
また、換気装置は、建物の外方から着脱可能に設置され、窓部を閉塞可能な断熱板と、換気装置とが互いに取替え設置可能とされている、ことが好ましい。
【００２３】
この場合には、断熱板で窓部が閉鎖されることで、開口部及び窓部により形成される基礎内外を繋ぐ換気経路が塞がれ、床下空間は基礎断熱体及び断熱板に包囲されることとなる。これによって、床下空間ひいては建物全体の断熱気密性能を向上させることができる。また、窓部に対し換気装置と断熱板とを互いに取替え設置可能とされているため、例えば床下空間に雨水等が流入することで高湿度となった場合でも、断熱板に換えて換気装置を設置することで湿気を除去することができる。
【発明の効果】
【００２４】
本発明によれば、基礎断熱を採用する建物であっても、施工時に建材からの水分の除去を基礎側から行うことができる。
【図面の簡単な説明】
【００２５】
【図１】本発明の実施形態に係る基礎構造を示す断面図である。
【図２】図１の建物の梁の接続構造を示す横方向の断面図である。
【図３】図１の建物の梁を設置する様子を示す斜視図である。
【図４】図１の建物の梁が設置された様子を示す斜視図である。
【図５】図１の建物の梁に柱を取り付ける様子を示す斜視図である。
【図６】図１の建物の外装材を保持する上側取付金具及び下側取付金具の取り付け構造を示す斜視図である。
【図７】図１の建物の鋼材基礎に取り付けられる換気装置の取り付け構造を示す分解斜視図である。
【図８】図１の建物の鋼材基礎に取り付けられる断熱板の取り付け構造を示す分解斜視図である。
【図９】換気装置を取り付けて排気を行う手順を示すフローチャートである。
【発明を実施するための形態】
【００２６】
以下、図面を参照しつつ、本発明に係る基礎構造の実施形態について詳細に説明する。なお、図面の説明において同一の要素には同一の符号を付し、重複する説明を省略する。
【００２７】
図１〜図８に本発明の実施形態を示す。まず、図１〜図６を用いて、建物Ａの全体構成と、基礎スラブ１及び鋼材基礎２が断熱材６０，６３で覆われる構成とを中心に説明する。図１に示すように、本実施形態の基礎構造は、鉄筋コンクリート製の支持体として形成される基礎スラブ（ベース部）１と、基礎スラブ１の上部にて組み上げられた鋼材基礎２と、鋼材基礎２及び基礎スラブ１の外側面を覆う上側断熱材（基礎断熱体、鋼材断熱部）６０及び下側断熱材（基礎断熱体、ベース断熱部）６３とを備えている。
【００２８】
鋼材基礎２は、上部躯体構造としての建物Ａを受けるものである。この建物Ａは、３０５ｍｍの平面モジュールを有する梁勝ち工法による２階建ての鉄骨造の工業化住宅である。但し、この建物Ａの構造は、好適な適用例であって、本発明の適用範囲がこれに限定されるものではない。
【００２９】
図１に示すように、基礎スラブ１は、全面的にベタ基礎形式となっている。なお、基礎スラブ１は、直交する基準線（Ｘ方向基準線、Ｙ方向基準線）の中からそれぞれ複数選択されると共にモジュールの整数倍の間隔となるように設定された通りに対応する所定の幅の範囲について、当該範囲を地反力に対し耐力を発揮しうる基礎梁とみなして鉄筋１２の量が算定されている（図３、図４参照）。基礎スラブ１のうち、これ以外の範囲については、地反力を受ける４辺固定のスラブとみなして鉄筋１２の量が算定されている。
【００３０】
なお、本実施形態ではベタ基礎形式の基礎スラブ１を例示しているが、このようなベタ基礎形式に限定されることはなく、例えば、通りに沿って地耐力に応じた所望の幅を有するフーチング形式とする構成も採用可能である。
【００３１】
また、基礎スラブ１は、敷き詰められた砕石１７上に形成され、その上端面１ａが地盤Ｙの上面の地盤面Ｘより高くなるように形成されている。これによって、地盤面Ｘ上の雨水等が、基礎スラブ１の上面（建物Ａの１階床下空間Ｕ）へ浸入することが抑制される。
【００３２】
鋼材基礎２は、基礎スラブ１の上端面１ａ上に載置される鋼製の束（支柱部）２０と、束２０に架設される鋼製の梁（梁部材）３０とを備えている。
【００３３】
梁３０として、例えばＨ形鋼（Ｉ形鋼と呼ばれるような形鋼を含む）が用いられる。梁３０の長手方向の両端部には、先端部が折り曲げられてＬ字状に形成されると共にボルト穴が穿設されたガセットプレート３４が溶接により接合されている（図２、図３等参照）。
【００３４】
なお、本実施形態において梁３０とは、通り上に配置されるいわゆる大梁（１階大梁）３０Ａのみならず、建物Ａの１階床を形成する床パネルを支持するために大梁間に架け渡される小梁３０Ｂも含まれる（図３〜図５参照）。なお、小梁３０Ｂは大梁３０Ａと他の小梁３０Ｂとの間に架け渡される場合もある。また、梁３０のうち、建物Ａの外通りに配置される梁が、外通りの基礎を構成し、建物Ａの中通りに配置される梁が、中通りの基礎を構成する。
【００３５】
また、図１に示すように、梁３０は、互いに平行に配置された平板状の上フランジ３０ａ及び下フランジ３０ｂと、上フランジ３０ａ及び下フランジ３０ｂを連結するウェブ３０ｃとより構成されている。また、図３に示すように、梁３０の上フランジ３０ａ及び下フランジ３０ｂには、建物Ａの１階の柱５０（図５参照）等を接合するためのボルトを挿通するボルト穴３０ｄがモジュールに基づくピッチで等間隔に穿設されている。ボルト穴３０ｄは、平面視で、Ｘ方向基準線及びＹ方向基準線の交点上に位置するよう穿設されている。また、ウェブ３０ｃにも、他の梁３０を接合するためのボルトを挿通するボルト穴３０ｄがモジュールに基づくピッチで等間隔に穿設されている。更に、梁３０のウェブ３０ｃには所定の間隔で大径の孔部（開口部：一例として、直径１２５ｍｍの孔）３０ｅが穿設されている。
【００３６】
図２〜図４に示すように、梁３０の端部同士を接合する場合、本実施形態ではジョイントボックス３１を用いている。図２に示すように、ジョイントボックス３１は、平面視十字状のウェブ３１ｃの上下端に、正方形の上フランジ３１ａ（図３参照）及び下フランジ３１ｂをそれぞれ溶接することによって形成されている。このジョイントボックス３１に梁３０を接合する場合、梁３０のガセットプレート３４のＬ字状の外側の２面を、ウェブ３１ｃの直交する２面に当接させ、ガセットプレート３４の屈曲部分周囲のボルト穴及びこれに対応するジョイントボックス３１のウェブ３１ｃに設けられたボルト穴にボルトを挿通してボルト接合する。
【００３７】
梁３０を支持する束２０は、基礎スラブ１の上端面１ａから突出するアンカーボルト１９（図１参照）の上端部に接合固定されている。なお、基礎スラブ１には、束２０を設ける位置に、予めアンカーボルト１９が埋設されている。このアンカーボルト１９は、基礎スラブ１を形成する際に倒れこむことがないように、砕石１７上に載置されたＰＣ板１８に取り付けられている。束２０は、建物Ａの１階の柱５０（図５参照）から伝達される荷重を基礎スラブ１に効率よく伝達する役割を有し、少なくとも梁３０上（通り上）に立設される柱５０の直下、及び柱５０が立設されるジョイントボックス３１の直下に設置される。
【００３８】
また、束２０は、特に図１に示すように、互いに平行に配置された上フランジ２０ａ及び下フランジ２０ｂと、上フランジ２０ａ及び下フランジ２０ｂを連結するウェブ２０ｃとより構成されている。ウェブ２０ｃは、横断面が十字状に形成されている。束２０の上フランジ２０ａ及び下フランジ２０ｂには、それぞれボルト穴が穿設されている。束２０の下フランジ２０ｂのボルト穴にアンカーボルト１９の上端部が挿通され、ナット等によって下フランジ２０ｂとアンカーボルト１９とがボルト接合されている。また、束２０及び梁３０は、束２０の上フランジ２０ａのボルト穴と梁３０の下フランジ３０ｂのボルト穴３０ｄとに挿通されたボルトによってボルト接合される。同様に、束２０及びジョイントボックス３１は、束２０の上フランジ２０ａのボルト穴とジョイントボックス３１の下フランジ３１ｂのボルト穴とに挿通されたボルトによってボルト接合される。
【００３９】
また、束２０は、図３に示すように、建物Ａの外周部（即ち、外壁寄りの部分）と内側部（即ち、建物Ａの内部）とに適宜配置される。これらのうち、外周部（外通り）に配置される束２０は、建物Ａの外側においては上フランジ２０ａと下フランジ２０ｂの上下方向の端縁位置が一致し、建物Ａの内側においては下フランジ２０ｂが上フランジ２０ａよりも建物内側に向けて延伸している。即ち、この束２０は、図１に示すように、建物Ａの内側においては、ウェブ２０ｃが上フランジ２０ａの端縁から、延伸する下フランジ２０ｂの端縁にかけて末広がり状に形成された形状（オフセット形状）となっている。また、建物Ａの入隅部及び出隅部においては、外壁に沿った２方向について、下フランジ２０ｂが上フランジ２０ａよりも延伸し、ウェブ２０ｃが上フランジ２０ａの端縁から、延伸する下フランジ２０ｂの端縁にかけて末広がり状に形成された束２０が採用されている（図３参照）。
【００４０】
このようなオフセット形状の束２０を用いることにより、基礎スラブ１のより広い範囲に荷重が分散して伝達され、基礎スラブ１にて構造計算上の基礎梁とみなせる幅を大きくとることができる。
【００４１】
建物Ａは、基礎スラブ１及び鋼材基礎２からなる基礎躯体構造上に設けられており、鋼材基礎２上に立設固定された１階の柱５０（図５参照）と、１階の柱５０の上端を連結するように配置された２階梁と、２階梁上に配置された２階の柱と、Ｒ階大梁と、隣接する２本の柱５０間に設置された耐力要素５１等の部材とが、通りに対応して配置されて基本架構が構成されている。更に、建物Ａにおいては、小梁が適宜架け渡され、各階の梁で支持されるＡＬＣ（Autoclaved  Light-weight  Concrete；軽量気泡コンクリート）からなる床パネルにより各階床が構成され、更に、外周部の梁を利用してＡＬＣ等からなる外壁パネルや開口パネルが取り付けられて外壁が構成されている。特に、図１に示すように、建物Ａの１階の外壁７０は、梁３０の上フランジ３０ａの上面に取り付けられた支持金具８５上に載置され、ボルト等によって支持金具８５に固定される。これにより、建物Ａの１階の外壁７０の最下端の高さ位置は、梁３０の上フランジ３０ａの高さ位置と略一致することとなる。また、梁３０の上フランジ３０ａの上面には、１階の床を構成する床パネル９０が載置されている。
【００４２】
図５に示すように、柱５０は、通りと、通りに直交する基準線との交点に配置され、下端部がジョイントボックス３１又は梁３０の中間部に接合される。これにより、本実施形態の鋼材基礎２の梁３０と柱５０との接合は、各層（本実施形態においては基礎層）で梁同士を連結して平面視にて閉じたフレーム枠体を構成し、当該梁により形成されるフレーム枠体に柱を接合してなる梁勝ち構法が採用されるものとなっている。なお、柱５０及びジョイントボックス３１は、ジョイントボックス３１の上フランジ３１ａのボルト穴と柱５０の下端部に設けられたボルト穴とに挿通されたボルトを用いてボルト接合される。同様に、柱５０及び梁３０は、梁３０の上フランジ３０ａのボルト穴３０ｄと柱５０の下端部に設けられたボルト穴とに挿通されたボルトを用いてボルト接合される。
【００４３】
また、耐力要素５１は、所定の間隔（例示すれば、６１０ｍｍ、９１５ｍｍ等）で配置された２本の柱５０の内側面にボルト接合される。耐力要素５１は例えば筋交い（クロスフレーム）等で構成される。
【００４４】
図１に示すように、基礎スラブ１の側部には下側断熱材６３が設けられている。下側断熱材６３は、押出法発泡ポリスチレンフォームやフェノールフォーム等のプラスチック系断熱材から形成されている。また、下側断熱材６３の上端は基礎スラブ１の上端面１ａから所定長さ突出し、下側断熱材６３の下端は基礎スラブ１の下端部まで延びている。
【００４５】
防水構造４は、基礎スラブ１の側部に設けられた基台１１と、束２０及び梁３０の側部に設けられる外装材４２と、外装材４２と基台１１との間、及び外装材４２同士の間を埋めるシール材４３とより構成される。
【００４６】
基台１１は、コンクリートによって形成され、基礎スラブ１とによって下側断熱材６３を挟み込む。また、基台１１は、その上端面１１ａが地盤面Ｘより高くなるように形成されている。また、コンクリートによって基礎スラブ１及び基台１１を形成するときに、下側断熱材６３よりも基礎スラブ１の外側（基台１１が形成される位置）に流し込まれたコンクリートの一部が、下側断熱材６３の下端から基礎スラブ１側に回り込む、又は、下側断熱材６３よりも基礎スラブ１の内側（基礎スラブ１が形成される位置）に流し込まれたコンクリートの一部が、下側断熱材６３の下端から基台１１側に回り込むことにより、基台１１の下端と基礎スラブ１の下端とが接続された状態となる。このように、下側断熱材６３の下端がコンクリートで覆われていることにより、基礎スラブ１の周囲の地盤Ｙからの水が、基台１１及び基礎スラブ１の下側から、下側断熱材６３と基台１１の間や下側断熱材６３と基礎スラブ１の間に浸入することがない。即ち、防水構造４よりも建物Ａの内側に、基台１１及び基礎スラブ１の下方から水が浸入することを防止でき、鋼材基礎２の耐久性を向上させることができる。
【００４７】
外装材４２は、不燃板等からなり、特に、図１及び図６に示すように、梁３０の上フランジ３０ａに固定された上側取付金具８１と、梁３０の下フランジ３０ｂに固定された下側取付金具８２とによって保持される。また、外装材４２は、外装材４２の外面と外壁７０の外面とが略一致するように、上側取付金具８１及び下側取付金具８２によって保持されている。なお、図６は、上側取付金具８１及び下側取付金具８２を図示するために、外装材４２等を省略してある。
【００４８】
上側取付金具８１は、Ｌ字状に形成されると共に、梁３０の上フランジ３０ａの下面に固定される固定部８１ａと、外装材４２が取り付けられる外装材取付部８１ｂとによって構成されている。なお、上側取付金具８１の固定部８１ａ及び梁３０の上フランジ３０ａは、固定部８１ａに設けられたボルト穴と梁３０の上フランジ３０ａに設けられたボルト穴３０ｄとに挿通されたボルトによってボルト接合される。上側取付金具８１の外装材取付部８１ｂ及び外装材４２は、外装材４２の上側部分の外側面から、外装材取付部８１ｂのビス穴８１ｔに向けて差し込まれたビス８３によって接合される。
【００４９】
下側取付金具８２は、梁３０の下フランジ３０ｂの下面に固定される固定部８２ａ（図１参照）と、固定部８２ａにおける建物Ａの外側端部から下方に延びる第一連結部８２ｂと、第一連結部８２ｂの下端から建物Ａの外側に向けて水平方向に延びる第一載置部８２ｃと、第一載置部８２ｃにおける建物Ａの外側端部から下方に延びる第二連結部８２ｄと、第二連結部８２ｄの下端から建物Ａの外側に向けて水平方向に延びる第二載置部８２ｅとより構成されている。下側取付金具８２が梁３０に取り付けられた状態において、下側取付金具８２の第一載置部８２ｃの高さ位置は、下側断熱材６３の上端部の高さ位置と一致している。下側取付金具８２の第二載置部８２ｅ上に外装材４２の下端が載置される。また、下側取付金具８２と外装材４２とは、外装材４２の下側部分の外側面から、下側取付金具８２の第二連結部８２ｄのビス穴８２ｔに向けて差し込まれたビス８４によって接合される。なお、第二連結部８２ｄの下端から延びる第二載置部８２ｅの突出量は、外装材４２の厚みより少ない長さ（例えば、厚みの半分程度）となっている。これにより、下側取付金具８２の第二載置部８２ｅ上に外装材４２を載置したときに、外装材４２の外側面から第二載置部８２ｅが突出することがない。
【００５０】
外装材４２と、束２０及び梁３０との間には、図１に示すように、上側第一断熱材６１及び上側第二断熱材６２によって構成される上側断熱材６０が配置されている。上側第二断熱材６２は、上側第一断熱材６１よりも建物Ａの内側に配置されている。上側断熱材６０は、下端部が下側取付金具８２の第一載置部８２ｃ上に載置され、上端部が上側取付金具８１の固定部８１ａの位置まで延びている。なお、下側取付金具８２の第一載置部８２ｃの長さ（第一連結部８２ｂの下端から第二連結部８２ｄの上端までの長さ）は、上側断熱材６０の厚みと同じとなっている。上側断熱材６０は、建物Ａの内側の面が束２０の上フランジ２０ａ及びウェブ２０ｃと、梁３０の下フランジ３０ｂとに当接し、建物Ａの外側の面が外装材４２に当接している。このように、上側断熱材６０は、外装材４２と、束２０及び梁３０とに挟み込まれることによって位置が保持されている。
【００５１】
また、上側第一断熱材６１と上側第二断熱材６２とは、それぞれ、梁３０の長手方向に沿って敷き並べられ、断熱構造が形成されている。ここで、上側第一断熱材６１同士の継ぎ目と、上側第二断熱材６２同士の継ぎ目とは互いにずれた位置に設けられている。これにより、上側第一断熱材６１の継ぎ目の奥側には上側第二断熱材６２の外側面が位置することとなり、気密性の向上が図られている。なお、上側第一断熱材６１及び上側第二断熱材６２は、それぞれ、押出法発泡ポリスチレンフォームやフェノールフォーム等のプラスチック系断熱材から形成されている。
【００５２】
基台１１の上端面１１ａと、外装材４２の下端部との間には、第二載置部８２ｅの先端部を覆うようにしてシール材４３が充填されている。また、外装材４２の上端部と外壁７０の下端部との間にもシール材４４が充填されている。更に、外装材４２の継ぎ目にもシール材４４が充填される。これにより、外装材４２と基台１１との継ぎ目や、外装材４２と外壁７０との継ぎ目、外装材４２同士の繋ぎ目から建物Ａの内側に雨水等が浸入することが防止される。
【００５３】
次に、図７を用いて、換気装置１００の梁３０への取り付け構造について説明する。換気装置１００は、建物Ａの下側に形成される床下空間Ｕの空気を外部に排出し、床下空間Ｕ及び建物Ａの換気を行うものである。図７に示すように、換気装置１００は、換気を行うためのファン１０１と、ファン１０１を覆うフード１０２とを含んで構成されている。なお、図７では、フード１０２の一部を破断して図示し、フード１０２内に設けられたファン１０１を露出させている。また、図７では、換気装置１００を鋼材基礎２に取り付ける前の状態を示している。
【００５４】
また、フード１０２は、梁３０に取り付けられる側が開口しており、該開口の反対側に排気口１０３が設けられている。これにより、換気装置１００は、ファン１０１を作動させることにより、梁３０に取り付けられる側の端部の開口から空気を吸い込み、吸い込んだ空気を排気口１０３から排出する。また、フード１０２は、梁３０に取り付けられる側の端部に取り付けフランジ１０５が設けられている。
【００５５】
換気装置１００を鋼材基礎２に取り付けるために、梁３０の一の孔部３０ｅと対向する位置の上側断熱材６０（上側第一断熱材６１及び上側第二断熱材６２）及び外装材４２を不存在とすることで、窓部１１０が形成される。孔部３０ｅ及び窓部１１０により、床下空間Ｕと外気とをつなぐ換気経路が形成される。なお、窓部１１０の大きさは、換気装置１００によって塞がれる大きさとする。
【００５６】
梁３０における窓部１１０と対応する位置には、外装材４２の固定等で用いた上側取付金具８１及び下側取付金具８２が取り付けられる。換気装置１００は、窓部１１０に対応する位置に設けられた上側取付金具８１及び下側取付金具８２に着脱可能に取り付けられる。この取り付けは、上側取付金具８１のビス穴８１ｔ及び下側取付金具８２のビス穴８２ｔを用いて、換気装置１００の取り付けフランジ１０５を上側取付金具８１及び下側取付金具８２にビス止めすること等によって行われる。なお、換気装置１００の鋼材基礎２への取り付け方法は、上側取付金具８１及び下側取付金具８２を用いた取り付け方法に限られず、適宜の方法を用いることができる。
【００５７】
このようにして梁３０に取り付けられた換気装置１００を作動させて床下空間Ｕ内の空気を排出することで、建物Ａの建材の水分除去や、基礎スラブ１等の余剰水分を除去することができる。この余剰水分の除去が完了した後、換気装置１００を梁３０から取り外し、図８に示すように、換気装置１００に換えて断熱板１２０を窓部１１０に着脱可能に取り付ける。断熱板１２０の取り付けは、換気装置１００の取り付けに用いた上側取付金具８１及び下側取付金具８２を用いることができる。断熱板１２０を梁３０に取り付けた後、断熱板１２０と外壁７０との間、及び断熱板１２０と基台１１の間にシール材を充填する。更に、断熱板１２０と外装材４２との継ぎ目にもシール材を充填する。
【００５８】
次に、換気装置１００を梁３０に取り付けて排気を行う施工手順ついて説明する。ここでは、鋼材基礎２の形成工程、上側断熱材６０、換気装置１００、及び断熱板１２０の取り付け工程、換気装置１００を作動させて排気を行う工程についてのみ説明する。図９に示すように、基礎スラブ１上に束２０を取り付け、束２０間に梁３０を架設して鋼材基礎２を形成する（ステップＳ１０１：基礎形成工程）。続いて、上側断熱材６０を、鋼材基礎２の外側面に沿って下側断熱材６３の上端部に当接させつつ設置し、更に、上側断熱材６０を覆う外装材４２を設置する（ステップＳ１０２：断熱工程）。この工程には、梁３０の孔部３０ｅと対向する位置の上側断熱材６０及び外装材４２を不存在とすることで形成される窓部１１０を設ける窓形成工程を含んでいる。そして、窓部１１０を覆う状態で換気装置１００を梁３０に取り付けると共に、換気装置１００を作動させて床下空間Ｕ側から外気側に向けて排気を行う（ステップＳ１０３：排気工程）。余剰水分の除去の完了後、換気装置１００を取り外し、窓部１１０を覆う断熱板１２０を取り付けて窓部１１０を閉鎖する（ステップＳ１０４：閉鎖工程）。
【００５９】
ここでは、上側断熱材６０等を鋼材基礎２に設置して窓部１１０を形成した後に、換気装置１００を取り付ける場合を例に説明したが、換気装置１００を梁３０に取り付けた後、上側断熱材６０等を梁３０に設置したり、換気装置１００と上側断熱材６０等とを同時に梁３０に設置したりすることもできる。このように、上側断熱材６０等の設置の前後、或いは同時等、適宜のタイミングで換気装置１００を梁３０に取り付けることができる。
【００６０】
本実施形態は以上のように構成され、窓形成工程において上側断熱材６０及び外装材４２を不存在とすることで窓部１１０を設け、排気工程において窓部１１０を覆って換気装置１００を取り付けるものとしたので、換気装置１００の設置と、上側断熱材６０の鋼材基礎２への設置とを、同時または前後して行うことができる。なお、建物の施工は、通常、基礎の施工、上部躯体構造の施工の順で行われる。従来の基礎構造の開口部に換気装置を取り付ける工程を採用すると、基礎に断熱体を取り付けることができないため、基礎の施工、換気装置の取り付け、上部躯体構造の施工、換気装置の取り外し、基礎の全面にわたる断熱体の設置、の施工順を辿る必要がある。この場合には、基礎の施工の後、上部躯体構造の施工を行い、その後再び基礎周りの施工を行うこととなり、著しく施工性が悪い。これに対し、本実施形態によれば、基礎スラブ１及び鋼材基礎２と上側断熱材６０及び下側断熱材６３の施工、換気装置１００の設置及び換気装置１００の作動、上部躯体構造としての建物Ａの施工、の施工順となり、従来から行われている通常どおりの施工順で施工を進めることができる。
【００６１】
また、鋼材基礎２の上に建物Ａを建て込む前に梁３０に換気装置１００を設置することができ、換気装置１００の設置が簡便となるのみならず、建物Ａの建て込み当初から当該建物Ａの建材の水分除去を行うことができる。更には、基礎スラブ１や床下空間Ｕの水分除去も行うことができる。このように、上側断熱材６０を用いた基礎断熱を採用する建物Ａであっても、施工時に建材等からの水分の除去を基礎側から行うことができる。
【００６２】
また、基礎スラブ１のコンクリート打設前に下側断熱材６３を設置することで、基礎スラブ１と下側断熱材６３との間の隙間を無くしてこれらを密着させることができる。更に、基礎スラブ１の上に鋼材基礎２を設置する構成としたので、基礎スラブ１を打設する際に用いる型枠を、下側断熱材６３と同程度の高さで済ませることができる。このため、型枠が作業中の作業者の移動、或いは他の部材や道具の移動を妨げることもなく、基礎スラブ１の打設についての施工性の向上を図ることができる。
【００６３】
また、上側断熱材６０は、基礎スラブ１の施工が完了し、鋼材基礎２を組み上げた後の適宜のタイミングで取り付けることができるので、上側断熱材６０が鋼材基礎２の施工の妨げになることもない。また、梁３０の孔部３０ｅを、鋼材基礎２の内側と外側とを繋ぐ開口部として用いることで、窓形成工程において、孔部３０ｅに対向する位置の上側断熱材６０及び外装材４２を不存在として窓部１１０を形成するだけで換気経路を形成することが可能となり、施工が簡便となる。
【００６４】
また、換気装置１００を取り外して断熱板１２０により窓部１１０を塞ぐという簡便な工程によって、建物Ａの形成後に床下空間Ｕを断熱体（上側断熱材６０及び断熱板１２０）により包囲することができる。また、断熱板１２０で窓部１１０が閉鎖されることで、梁３０の孔部３０ｅ及び窓部１１０により形成される、鋼材基礎２の内外を繋ぐ換気経路が塞がれ、床下空間Ｕは断熱体（上側断熱材６０及び断熱板１２０）に包囲されることとなる。これによって、床下空間Ｕひいては建物Ａ全体の断熱気密性能を向上させることができる。
【００６５】
また、窓部１１０に換気装置１００と断熱板１２０とを互いに取替え設置可能とされているため、例えば床下空間Ｕに雨水等が流入することで高湿度となった場合でも、断熱板１２０に換えて換気装置１００を設置することで湿気を除去することができる。
【００６６】
また、梁３０の下方が基礎スラブ１から浮いており、さらには、梁３０自体に多数の孔部３０ｅが形成されているため、床下空間Ｕが全体に亘って一つの空間となり、当該空間全体に隅々まで空気を対流させることができる。このため、換気装置１００として小型のものを用いた場合であっても、床下空間Ｕの隅々まで換気装置１００の効力が及ぶものとなる。
【００６７】
本発明は上述の各実施形態に限定されるものではない。例えば、上記実施形態では、建物Ａの建材等の余剰水分除去の完了後、換気装置１００を取り外して断熱板１２０を取り付けるものとしたが、換気装置１００を取り付けた状態のままであってもよい。また、換気装置１００を鋼材基礎２の外側面に取り付けるものとしたが、鋼材基礎２の床下空間Ｕ側に取り付けてもよい。また、上側断熱材６０や外装材４２を梁３０に取り付ける構成は、上記実施形態で説明した構成に限定されず、適宜の構成を採用することができる。
【００６８】
また、上記実施形態では、基礎スラブ１上に鋼材基礎２を設置することで建物Ａの基礎を形成するものとしたが、鋼材基礎２を用いるものに限定されず、鋼材基礎２を用いることなく鉄筋コンクリートによって基礎を形成することもできる。この場合であっても、上記実施形態と同様に、床下空間Ｕと外気とを繋ぐ開口部を基礎に設け、該開口部に換気装置１００を設置することで、建材等からの水分の除去を基礎側から可能となる。また、換気装置１００は、適宜の台数を設置することができる。
【符号の説明】
【００６９】
１…基礎スラブ（ベース部）、２…鋼材基礎、２０…束（支柱部）、３０…梁（梁部材）、３０ｅ…孔部（開口部）、１００…換気装置、１１０…窓部、１２０…断熱板、６０…上側断熱材（基礎断熱体、鋼材断熱部）、６３…下側断熱材（基礎断熱体、ベース断熱部）、Ｕ…床下空間。
【図１】
0005689363.tif 000002
【図２】
0005689363.tif 000003
【図５】
0005689363.tif 000004
【図６】
0005689363.tif 000005
【図７】
0005689363.tif 000006
【図８】
0005689363.tif 000007
【図９】
0005689363.tif 000008
【図３】
0005689363.tif 000009
【図４】
0005689363.tif 000010